(57)【要約】【課題】事前に与えられた情報を用いて、簡易にＯＳ等のソフトウェアをインストールすることのできるソフトウェアのインストールシステムおよびソフトウェアのインストール方法を得る。【解決手段】ソフトウェアのインストール先コンピュータ１０６に、ソフトウェアのインストールの際に入力要求を行う内容と入力情報の対からなる設計書情報の集まりを記した設計書１０１を情報読取装置１０２で読み取って、その結果得られた設計書情報を設計書情報データベース１０４に格納しておく。プログラム作成・実行コンピュータ１０５はこれを基にしてインストールのためのアプリケーションを作成する。アプリケーションは、インストール先コンピュータ１０６がインストールの実行中に入力要求を行うと、これに対応する入力情報を与えるので、ソフトウェアの自動インストールが可能になる。【選択図】図１
2006039711.tif 000002
【特許請求の範囲】
【請求項１】
ソフトウェアをインストールするとき、その進行に応じてそのインストールの対象となる装置がその都度、外部に対して要求するデータの入力要求の内容とこれらに対応してその装置に入力すべき入力情報の対からなる設計書情報をインストールの対象となる装置ごとに予め書き込んだ設計書から読み取る設計書情報読取手段と、
この設計書情報読取手段の読み取った設計書情報を格納する設計書情報格納手段と、
前記インストールの対象となる装置に対するソフトウェアのインストール時に前記入力要求が発生するたびにその入力要求の内容に対応する入力情報を前記設計書情報格納手段から読み出す対応入力情報読出手段と、
この対応入力情報読出手段から読み出した対応する入力情報を、その都度、前記インストールの対象となる装置に与える入力情報供給手段
とを具備することを特徴とするソフトウェアのインストールシステム。
【請求項２】
前記設計書は用紙に所定のフォーマットで記されたものであり、前記設計書情報読取手段は、その用紙に記された画像情報を読み取って前記入力要求と入力情報の対からなる設計書情報を判読する設計書情報判読手段であることを特徴とする請求項１記載のソフトウェアのインストールシステム。
【請求項３】
前記入力要求の内容とこれらに対応付けた入力情報の対についての想定できる各内容を予め格納した設計書情報想定内容格納手段と、
前記設計書情報読取手段の判読した設計書情報がこの設計書情報想定内容格納手段に格納されていないとき、前記ソフトウェアのインストールができない旨のエラーを出力するエラー出力手段
とを更に具備することを特徴とする請求項１記載のソフトウェアのインストールシステム。
【請求項４】
前記設計書は、各入力要求に入力情報を書き込む形式でオペレーティングシステムごとに用意されていることを特徴とする請求項１記載のインストールシステム。
【請求項５】
前記ソフトウェアはアプリケーションソフトウェアであることを特徴とする請求項１記載のインストールシステム。
【請求項６】
ソフトウェアのインストールを所定の装置に対して開始したとき、外部に対してその都度要求するデータの入力要求の内容を判読する入力要求判読ステップと、
この入力要求判読ステップで判読した入力要求に対応する入力情報を、あらかじめ用意した入力要求と入力情報の対からなる設計書情報の集まった設計書から検索する入力情報検索ステップと、
ソフトウェアのインストールが完了するまでの間、入力情報検索ステップによってその都度得られた入力情報を前記装置に入力する入力情報入力ステップ
とを具備することを特徴とするソフトウェアのインストール方法。
【発明の詳細な説明】
【技術分野】
【０００１】
本発明は、コンピュータ等のソフトウェアによって所定の機能を実現する装置に対するソフトウェアのインストールシステムおよびインストール方法に係わり、特にユーザのインストール時の負担を軽減したソフトウェアのインストールシステムおよびインストール方法に関する。
【背景技術】
【０００２】
市販されるパーソナルコンピュータ等のコンピュータの多くは、ＯＳ（Operating System）と、幾つかのアプリケーションソフトウェア（以下、アプリケーションと略称する）をあらかじめインストールしている。このようなプリインストールタイプのコンピュータでは、ユーザの希望に応じてＯＳやアプリケーションを購入の申し込みの段階で選択するサービスが行われている。たとえばＯＳとしては、以前購入した所定のソフトウェアとの関係からＡというものを使用したいとか、表計算用のアプリケーションには多くの人が使用しているＢ社のアプリケーションを使用したいというように、ユーザによって好みが異なる場合が多いからである。ＯＳが異なれば、それに適合するアプリケーションも異なる場合も多い。また、コンピュータのハードウェア構成によっても、ＯＳやアプリケーションに制限が生じることもある。
【０００３】
そこで、コンピュータのメーカあるいは販売会社では、コンピュータの構成とソフトウェアについてのユーザのオーダ情報に基づいて、ユーザの購入するコンピュータに応じてソフトウェアを自動的にインストールする提案が行われている（たとえば特許文献１参照）。
【０００４】
この提案では、装置本体に実装される各種装置の構成品種とインストールするソフトウェアの種類を対応付けておき、自動インストールするアクセス手段をインストールするコンピュータに付けておいて、インストールの自動化を達成する。アクセス手段には、指定されたインストールデータにアクセスするための携帯型の磁気記憶媒体が使用される。
【０００５】
ところで、このようなソフトウェアのインストールを行う場合、特にアプリケーションのインストールを行うような場合には、ソフトウェアの作成者側から与えられたユーザ登録番号あるいはシリアル番号を入力するだけで、それ以上の入力操作が要求されない場合が多い。また、ＯＳをインストールする場合でも、幾つかのデフォルト値を入力するだけで済ませることもできる。したがって、プリインストールタイプのコンピュータでは、この提案にあるように、装置を構成するコンピュータのＣＰＵ（中央処理装置）の能力や特殊な入出力デバイスの有無等を知ることだけで、ユーザ側の情報を特に要求することなく、ソフトウェアのインストールが可能である。
【特許文献１】特開２００２−３２３９７７号公報（第００１５段落、図１）
【発明の開示】
【発明が解決しようとする課題】
【０００６】
ところが、メーカから個別に購入したコンピュータに新たなＯＳをインストールするような場合には、インストールが進行する各時点で、ユーザ側の使用環境に応じて各種のデータの設定が要求される。たとえば、そのコンピュータを使用する国や地域に対する基準時の入力や、そのコンピュータを通信ネットワークに接続する場合の、ＩＰ（Internet Protocol）アドレスやコンピュータ名の入力といった事項の入力が要求される。
【０００７】
大企業のように多くのコンピュータを使用している組織あるいは部署では、比較的多くの数のコンピュータに対してこのようなソフトウェアのインストール作業を集中的に行う必要がある。このような場合に、従来ではコンピュータの管理を行う管理会社あるいは管理部門では、あらかじめ個々のコンピュータに対するＩＰアドレスの設定等の設定事項の一覧を、設計書として手作業で用紙に記入しておく作業が行われていた。そして、ソフトウェアのインストール時には、これらの設計書を、個々のコンピュータの配置された場所にメモとして置いておくようにしていた。これらのコンピュータに対するソフトウェアのインストール作業が開始したら、作業員が手分けしてそれぞれのコンピュータのインストール作業の進行を見守り、コンピュータから画面上に入力の指示があった場合には、そのメモを見ながら該当する情報をキーボード等の入力装置を用いてコンピュータに入力することで、インストール作業を進行させていた。
【０００８】
このため、設計書を個々のコンピュータごとに間違わないように作成する作業と、インストール時にコンピュータが幾つかのタイミングで提示するデータの入力要求をそれぞれ迅速かつ正確に行う必要があった。このため、たとえばＬＡＮ（ローカルエリアネットワーク）に接続する複数のコンピュータのＯＳをある特定の日時からの使用に向けて一斉に変更するような場合には、多くの作業者が作業に携わる必要があった。また、ソフトウェアによってはインストール時に設定事項の入力を数多くのタイミングで要求する場合があり、このような場合には、作業員の数が少ないと、入力を待機するコンピュータが多くなり、インストール作業に長時間を要するといった問題があった。更に、手作業による入力のため、データの入力ミスがある程度の確率で発生し、インストール作業の遅延や、再インストールの原因となっていた。
【０００９】
そこで本発明の目的は、事前に与えられた情報を用いて、簡易にＯＳ等のソフトウェアをインストールすることのできるソフトウェアのインストールシステムおよびソフトウェアのインストール方法を提供することにある。
【課題を解決するための手段】
【００１０】
本発明では、（イ）ソフトウェアをインストールするとき、その進行に応じてそのインストールの対象となる装置がその都度、外部に対して要求するデータの入力要求の内容とこれらに対応してその装置に入力すべき入力情報の対からなる設計書情報をインストールの対象となる装置ごとに予め書き込んだ設計書から読み取る設計書情報読取手段と、（ロ）この設計書情報読取手段の読み取った設計書情報を格納する設計書情報格納手段と、（ハ）インストールの対象となる装置に対するソフトウェアのインストール時に入力要求が発生するたびにその入力要求の内容に対応する入力情報を設計書情報格納手段から読み出す対応入力情報読出手段と、（ニ）この対応入力情報読出手段から読み出した対応する入力情報を、その都度、インストールの対象となる装置に与える入力情報供給手段とをソフトウェアのインストールシステムに具備させる。
【００１１】
また、本発明では、（イ）ソフトウェアのインストールを所定の装置に対して開始したとき、外部に対してその都度要求するデータの入力要求の内容を判読する入力要求判読ステップと、（ロ）この入力要求判読ステップで判読した入力要求に対応する入力情報を、あらかじめ用意した入力要求と入力情報の対からなる設計書情報の集まった設計書から検索する入力情報検索ステップと、（ハ）ソフトウェアのインストールが完了するまでの間、入力情報検索ステップによってその都度得られた入力情報を装置に入力する入力情報入力ステップとをソフトウェアのインストール方法に具備させる。
【００１２】
このように、本発明では、ソフトウェアのインストールのための設計書からデータを読み取って、設計書情報を構成する入力要求と入力情報を用いて入力要求に対する入力情報をインストールの対象となる装置にその都度与えることにしたので、それぞれの装置に合ったインストールを簡易に実現することができる。したがって、ソフトウェアのインストールに必要とする人件費の大幅な削減を図ることができる。
【発明の効果】
【００１３】
以上説明したように本発明では、インストールするソフトウェアに対応した設計書を用いてソフトウェアのインストールを行うので、たとえばコンピュータのインストールの作業者がコンピュータの管理者から各入力要求に対応する入力情報を聞き取ったり、あるいは管理者側が用意した入力情報の基となるデータを取得することで、設計書を作成することができ、それ以後は多数のコンピュータ等の装置に対して自動的にソフトウェアのインストールを行うことができる。また、設計書を過去に作成していれば、これを修正することで、ソフトウェアのインストールを更に簡単に行うことができる。
【発明を実施するための最良の形態】
【００１４】
以下実施例につき本発明を詳細に説明する。
【実施例１】
【００１５】
図１は、本発明の一実施例におけるソフトウェアのインストールシステムの概要を表わしたものである。このソフトウェアのインストールシステム１００は、設計書１０１を読み取る情報読取装置１０２を備えている。情報読取装置１０２は、ＯＣＲ（Optical Character Recognition/Reader）機能を有するソフトウェアをインストールしたデータ入力・チェック用コンピュータ１０３に接続されている。情報読取装置１０２によって読み取られた画像情報は、ＯＣＲによって文字認識されて設計書情報が得られる。この設計書情報は、設計書情報データベース１０４を用いてエラーの有無がチェックされるようになっている。ここで、設計書情報データベース１０４は、過去に使用された各種の設計書情報を格納している。設計書情報は、コンピュータにソフトウェアをインストールするときその進行に応じて要求される入力要求の内容とこれらに対応付けた入力情報からなっている。
【００１６】
ユーザが手作業でインストール作業を行う場合には、ＯＳ等のソフトウェアのインストールの進展に応じて、ＩＰアドレスや参加するネットワークの名称等の各種の事項の入力要求がそのインストール中のコンピュータの画面に表示されて、ユーザがキーボード等から情報を入力するまで待機画面のままとなる。このときの各種の事項の入力要求が、本明細書における「入力要求の内容」である。また、このときユーザが入力する情報に代わってプログラム作成・実行コンピュータ１０５がインストール先コンピュータ１０６に与える情報が「入力情報」である。
【００１７】
プログラム作成・実行コンピュータ１０５は、データ入力・チェック用コンピュータ１０３で設計書情報のチェックに問題が発生していないと判別されたとき、インストール先コンピュータ１０６が入力要求を行うたびに「入力要求の内容」に応じたユーザの「入力情報」を与えるためのインストール用プログラムを作成して、対応する設計書情報と共にインストールプログラムデータベース１０７に格納するようになっている。そして、これを基にして設計書１０１に書き込まれたユーザのコンピュータとしてのインストール先コンピュータ１０６に対するソフトウェアのインストールが自動的に行われることになる。
【００１８】
なお、この図では説明を分かりやすくするためにデータ入力・チェック用コンピュータ１０３とプログラム作成・実行コンピュータ１０５を使用しているが、これらは１つのコンピュータに統合してもよい。この際には、設計書情報データベース１０４とインストールプログラムデータベース１０７を同一の記憶媒体上に割り当てるようにしてもよい。
【００１９】
図２は、この実施例のソフトウェアのインストールシステムの機能的な構成を図１とは異なる観点から表わしたものである。ソフトウェアのインストールシステム１００は、情報読取装置１０２と、この情報読取装置１０２の読み取った情報から設計書情報を再現する設計書情報再現手段１１１と、再現された設計書情報をチェックする情報チェック手段１１２を備えている。情報チェック手段１１２で入力要求と入力情報の対のいずれにも該当しない情報、あるいは入力情報としての条件に合致しない情報と判別された場合には、これを修正を行うことなく、インストール中止１１３とする。たとえば図１に示した設計書１０１に書かれたＩＰアドレスを文字認識した結果として得られた数値情報と完全に一致する数値情報が、情報チェック手段１１２でチェックの対象となったＩＰアドレスの集まり（図１の設計書情報データベース１０４におけるＩＰアドレスの一覧）の中に存在しなかったとする。このような場合には、文字認識の結果としての似通ったＩＰアドレスに修正するのではなく、むしろそのような入力情報を含んだ設計書情報は廃棄することにして、間違ったＩＰアドレスへの設定を防止するようにしている。
【００２０】
情報チェック手段１１２のチェックによって、チェックの対象となった設計書情報を構成する入力要求の内容と入力情報の組のいずれかに正確に対応していると判別されたとき、あるいは入力情報が所定の条件に合致している情報であると判別された場合には、プログラム作成手段１１４がインストール用のプログラムを作成することになる。このプログラムは、ユーザのインストール先コンピュータ１０６の入力要求があったとき、これに正確に対応する入力情報をインストール先コンピュータ１０６に与えるものであり、これにより、あたかもユーザがその入力情報を手入力したと同様の効果を得ることができることになる。
【００２１】
図３は、設計書の内容の一部を表わしたものである。設計書１０１には、基本情報１２１、コンピュータ構成情報１２２および設計入力情報１２３が記されるようになっている。これらは、ＯＳの種類に対応させて、予め各項目を印刷した用紙のそれぞれの記入箇所に手書き入力するようになっている。場合によっては、所定の書式で作成した電子的な文書の各記入箇所にキーボード等を用いてデータ入力を行うようなものであってもよい。後者の場合には、入力の終了した電子的な文書をプリントアウトして設計書１０１とすることもできるし、作成した電子的な文書を図１に示したデータ入力・チェック用コンピュータ１０３に直接読み込むこともできる。
【００２２】
設計書１０１の基本情報１２１としては、インストールするソフトウェアとしてのＯＳの名称や、インストール先コンピュータ１０６の名称およびユーザ名が入力される。コンピュータ構成情報１２２は、インストール先コンピュータ１０６が、ＯＳとの関係で必要とされる周辺機器を備えているかどうかをチェックするために使用される。
【００２３】
設計入力情報１２３は、設計書の基本情報１２１としてインストールの指定されたＯＳのインストールの進行と共に、図１に示したインストール先コンピュータ１０６のディスプレイに表示されるそれぞれの入力要求に予め答えておく形で、入力情報を作業員あるいはユーザが入力しておくようになっている。たとえば、この図３に示したＯＳでは、ログイン画面でネットワーク（サブネットマスク）、ＩＰアドレス、ドメイン等の一覧入力を所定のタイミングで要求するようになっている。したがって、この入力要求に対応させて文字等から構成される入力情報を予め調べておいて記入することになる。もちろん、前回のインストール時に使用されて今回も転用できるような入力情報は、設計書１０１の一部としてデータの保存を行っておくことで、その再利用を図ることができる。
【００２４】
図４は、本実施例のソフトウェアのインストールシステムでソフトウェアをインストールするときのデータ入力・チェック用コンピュータの処理の流れを表わしたものである。データ入力・チェック用コンピュータ１０３は、これに接続された情報読取装置１０２の読み取りが指示されると（ステップＳ２０１：Ｙ）、セットされた設計書１０１の読み取りを行い、まず、インストールするＯＳの種類を判読する（ステップＳ２０２）。ＯＳの種類によってそのインストールの際にインストール先コンピュータ１０６に対して入力情報の種類や数が大きく異なる。一般には、ウィンドウズ（登録商標）のように個人ユーザがインストールを行う可能性の高いＯＳほど、インストールの際のトラブルの発生を防止するために、ユーザに対して入力要求の行われる頻度が低くなるような設計が行われている。したがって、本実施例ではＯＳの種類に対応させて設計書１０１の各入力要求等の所定の事項があらかじめプリントされたプレプリント用紙を使用するようになっている。このため、ＯＳに対応させたマークを設計書１０１にあらかじめ印刷しておく等の手法によって、ＯＳの種類の判読は容易に行われる。
【００２５】
ＯＳの判読に成功した場合には（ステップＳ２０３：Ｙ）、判読したＯＳに対応してプレプリントされた各入力要求に対して記入された入力情報の画像情報をＯＣＲ（Optical Character Recognition/Reade）機能を用いて判読する（ステップＳ２０４）。たとえばネットワークのＩＰアドレスが入力要求項目に記されている場合には、記入された入力情報が所定の数の数字とピリオド（．）の組み合わせであれば、判読が成功したものとして扱う。ネットワークで使用するＩＰアドレスの一覧をあらかじめ設計書情報データベース１０４の所定の領域に登録している場合には、その中の１つと一致するかどうかによって判読の成否を判別するようにしてもよい。
【００２６】
すべての入力要求に対して入力情報の判読が成功した場合には（ステップＳ２０５：Ｙ）、その設計書１０１から読み取った設計書情報を、コンピュータ名やユーザ名等からなる基本情報に対応付けて設計書情報データベース１０４に格納する（ステップＳ２０６）。そして、次の設計書１０１が存在するかどうかを判別し（ステップＳ２０７）、存在すれば（Ｙ）、再びステップＳ２０１に戻って次の設計書１０１に対する同様の処理が行われる。なお、ステップＳ２０６で設計書情報データベース１０４にデータを格納する際に所定のフォーマットで行う場合、読み取った設計書１０１のフォーマットがこれに合わない場合、フォーマットの変更を行って、判読した入力情報を設計書情報データベース１０４に格納することになる。
【００２７】
一方、ステップＳ２０３でＯＳの判読ができなかった場合（Ｎ）と、ステップＳ２０５で入力情報の読み取りに少なくとも一部成功しなかったときには（Ｎ）、設計書１０１の読み取りが成功しなかったので、該当するＯＳのインストールはできない。そこで、この場合にはインストール先コンピュータ１０６に対してエラー表示を指示して（ステップＳ２０８）、その設計書１０１の読み取りが終了する。このような場合、チェック用コンピュータ１０３のオペレータは設計書１０１をチェックして、エラーとされた入力要求に対する入力情報に誤りあるいは記入の不明瞭な点があれば、その部分を訂正して再度、情報読取装置１０２で入力を試みることが可能である。
【００２８】
図５は、プログラム作成・実行コンピュータの処理の概要を表わしたものである。プログラム作成・実行コンピュータ１０５は、インストール用のプログラムの作成が要求されるのとインストールの処理が要求されるのを待機している（ステップＳ２２１、Ｓ２２２）。オペレータがプログラムの作成を指示した場合には（ステップＳ２２１：Ｙ）、指示された設計書情報を図１に示したデータ入力・チェック用コンピュータ１０３の設計書情報データベース１０４から読み込む（ステップＳ２２３）。そして、そのＯＳのインストールの手順や、インストール先コンピュータ１０６が入力要求を行うときのプログラム作成・実行コンピュータ１０５が検出できる入力要求に対応する信号と入力情報とを対応付けた自動インストール用のアプリケーションを作成する（ステップＳ２２４）。
【００２９】
ここでプログラム作成・実行コンピュータ１０５が検出できる入力要求に対応する信号としては、たとえばインストール先コンピュータ１０６がそのディスプレイに表示のために出力する信号を利用することができる。この信号（ディジタルデータ）の中でオペレータあるいはユーザに対して入力内容を指示する文字情報をプログラム作成・実行コンピュータ１０５側に取り込んで判読することで、インストールの際に指示された入力情報を判読することができる。また、そのディスプレイに表示された入力要求の文字情報をＯＣＲで判読した信号を用いて入力要求を人に代わって判読することも可能である。もちろん、入力要求の順番および内容が定められているようなＯＳの場合には、入力要求が発生するたびに、あらかじめ定めた順番で入力情報をインストール先コンピュータ１０６に与えるような単純なプログラムを作成することも可能である。
【００３０】
一方、ステップＳ２２２でインストール先コンピュータ１０６に対してＯＳのインストールが要求された場合には（Ｙ）、プログラム作成・実行コンピュータ１０５がインストール用のＯＳを用意すると共に、ステップＳ２２４で作成した自動インストール用のアプリケーションを用いてインストール処理を実行する。具体的には、プログラム作成・実行コンピュータ１０５がインストール先コンピュータ１０６から入力要求が発生したかどうかを監視して（ステップＳ２２５）、入力要求が発生したら（Ｙ）、前記したように入力要求の判読を行う（ステップＳ２２６）。そして、その入力要求に対応する入力情報をインストール先コンピュータ１０６に与える。この際には、キーボードから該当する入力情報が入力されたと同様のデータをインストール先コンピュータ１０６に与えればよい（ステップＳ２２７）。このような入力要求の判読と判読された入力要求に対応する入力情報の送出は、プログラム作成・実行コンピュータ１０５がインストール先コンピュータ１０６へのインストール作業を完了させるまで行われることになる（ステップＳ２２８）。
【００３１】
＜発明の変形例＞
【００３２】
図６は、本発明の変形例におけるソフトウェアのインストールシステムの構成を表わしたものである。この図６で図２と同一部分には同一の符号を付しており、これらの説明を適宜省略する。この変形例のソフトウェアのインストールシステム１００Ａでは、プログラム作成手段１１４Ａが複数のインストール先コンピュータ１０６1、１０６2、……１０６Mに対して並行して同一のＯＳをインストールするコンピュータとしての役割を持っている。すなわち、プログラム作成手段１１４Ａは、たとえば同一のＯＳをインストールする複数のインストール先コンピュータ１０６1、１０６2、……１０６Mに対して時分割的に作動するインストール用アプリケーションを使用して、時間的に並行してインストール作業を実行することができる。
【００３３】
この際に、インストールするＯＳが同一であれば、各インストール先コンピュータ１０６1、１０６2、……１０６Mに対して用意する設計書情報は、共通なものが多い。したがって、これらのコンピュータのグループに対応させて共通の入力情報と個々のコンピュータ用の入力情報を組み合わせた設計書情報を作成すればよく、設計書１０１の作成も効率的に行えるようになる。
【００３４】
以上説明した実施例では、ＯＳのインストールについて説明したが、アプリケーションのインストール時あるいはＯＳとアプリケーションを纏めて行うインストール時にも本発明を用いて効率的なインストール作業を実行させることができる。
【図面の簡単な説明】
【００３５】
【図１】本発明の一実施例におけるソフトウェアのインストールシステムの概要を表わしたシステム構成図である。
【図２】本実施例のソフトウェアのインストールシステムの機能的な構成を表わした概略構成図である。
【図３】設計書の内容の一部を表わした説明図である。
【図４】本実施例のデータ入力・チェック用コンピュータの処理の流れを表わした流れ図である。
【図５】本実施例のプログラム作成・実行コンピュータの処理の概要を表わした流れ図である。
【図６】本発明の変形例におけるソフトウェアのインストールシステムの構成を表わした概略構成図である。
【符号の説明】
【００３６】
１００、１００Ａ  ソフトウェアのインストールシステム
１０１  設計書
１０２  情報読取装置
１０３  データ入力・チェック用コンピュータ
１０４  設計書情報データベース
１０５  プログラム作成・実行コンピュータ
１０６  インストール先コンピュータ
１０７  インストールプログラムデータベース
１１１  設計書情報再現手段
１１２  情報チェック手段
１１４、１１４Ａ  プログラム作成手段
【図１】
2006039711.tif 000003
【図２】
2006039711.tif 000004
【図３】
2006039711.tif 000005
【図４】
2006039711.tif 000006
【図５】
2006039711.tif 000007
【図６】
2006039711.tif 000008